【手続補正書】
【提出日】平成30年9月26日(2018.9.26)
【手続補正１】
【補正対象書類名】明細書
【補正対象項目名】０１７４
【補正方法】変更
【補正の内容】
【０１７４】
（１８）開示される発明の一態様は、
前記外部光源と前記光変調層との間に、前記外部光源から射出された光の偏光方向を回転させる素子を備えた、
（１７）に記載の表示装置である。
【手続補正２】
【補正対象書類名】特許請求の範囲
【補正対象項目名】全文
【補正方法】変更
【補正の内容】
【特許請求の範囲】
【請求項１】
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記光変調層の側面から前記光変調層に所定の色の光を入射する光源と、
を有し、
前記光変調層は、前記電場が生じていないときは前記光源から入射した入射光を透過し、前記電場が生じているときは前記入射光を散乱して前記透明基板に射出する、
表示装置。
【請求項２】
前記一対の透明基板は、前記光変調層側と反対の外面側が開放されており、
前記光変調層は、当該光変調層に前記電場が生じていないときは、前記透明基板と前記光変調層とを貫通する貫通方向の光を透過する透過性を備え、前記一対の透明基板の一方の外面側から入射した光を前記貫通方向に透過させ、前記一対の透明基板の他方の外面側に射出する、
請求項１に記載の表示装置。
【請求項３】
前記電極は、表示領域を分割した分割領域を表示単位として、前記表示単位に前記電場を発生し、
前記光源は、それぞれ独立して動作して前記表示単位に異なる色の光を入射する複数の色光源を有し、
前記表示領域の色情報を取得し、前記色情報に基づいて前記表示単位ごとに、前記色情報に応じた前記色光源の点灯と、前記電極への電圧印加とを同期駆動する駆動部を有する、
請求項１または２に記載の表示装置。
【請求項４】
前記光源は、第１原色を発光する第１色光源と、第２原色を発光する第２色光源と、第３原色を発光する第３色光源と、を有し、
前記駆動部は、１画像表示フレームの期間に、前記表示単位ごとに、前記第１色光源を点灯して前記色情報に含まれる前記第１原色の色成分に応じた電圧を前記電極に印加し、前記第２色光源を点灯して前記色情報に含まれる前記第２原色の色成分に応じた電圧を前記電極に印加し、前記第３色光源を点灯して前記色情報に含まれる前記第３原色の色成分に応じた電圧を前記電極に印加する、
請求項３に記載の表示装置。
【請求項５】
前記駆動部は、前記色情報に含まれる色成分ごとに、
前記色成分に対応する前記色光源を点灯して前記光変調層の平面領域に前記色成分の光を入射するとともに、前記表示単位の電極への電圧印加を順次行う、
請求項３または４に記載の表示装置。
【請求項６】
前記駆動部は、前記色光源の光が入射する入射方向に沿って並ぶ前記表示単位を含む表示単位群ごとに、
前記色情報に含まれる色成分に対応する前記色光源を点灯して前記光変調層の前記表示単位群の領域に前記色成分の光を入射するとともに、前記表示単位群に含まれる前記表示単位の電極への電圧印加を順次行う、
請求項３または４に記載の表示装置。
【請求項７】
前記駆動部は、駆動対象である第１の表示単位群に隣接する第２の表示単位群に対応する前記光源を、前記第１の表示単位群と同じ色で点灯するか、または消灯する、
請求項６に記載の表示装置。
【請求項８】
前記電極は、前記一対の透明基板の一方の透明基板の平面内の一方向に延在する帯状形状を有する複数の第１電極と、前記一対の透明基板の他方の透明基板の平面内の前記第１電極が延在する方向と交差する方向に延在する帯状形状を有する複数の第２電極と、を有し、前記第１電極と前記第２電極とが交差する部分に前記表示単位が形成され、
前記駆動部は、前記第１電極と前記第２電極とを順次駆動する単純マトリクス駆動制御を行う、
請求項３乃至７のいずれかに記載の表示装置。
【請求項９】
前記光源と前記光変調層との間に、前記光変調層に入射する前記光源の光の拡散を防止する入射光拡散防止部を備える、
請求項１乃至８のいずれかに記載の表示装置。
【請求項１０】
前記透明基板に、前記光変調層内を進む前記光源の光の拡散を防止する層内光拡散防止部を備え、
前記層内光拡散防止部は、前記光変調層内に入射した前記光源の光の進む方向に沿って設けられる、
請求項１乃至９のいずれかに記載の表示装置。
【請求項１１】
前記一対の透明基板と、前記光変調層と、前記光源と、を有する第１の表示パネルと第２の表示パネルとを重ねてなり、
前記駆動部は、前記第１の表示パネルにおいて前記電極に順次電圧を印加する第１スキャンラインの位置と、前記第２の表示パネルにおいて駆動する前記電極に順次電圧を印加する第２スキャンラインの位置と、をずらして前記第１の表示パネルと、前記第２の表示パネルとを同期駆動する、
請求項３乃至９のいずれかに記載の表示装置。
【請求項１２】
離間して対向配置された一対の透明基板と、
前記一対の透明基板の間に配置され、所定の屈折率異方性を有するとともに、前記透明基板に設けられた電極によって生じる電場に対する応答性が異なる複数の光変調素子を備える光変調層と、
前記透明基板の外側から前記光変調層に所定の色の光を入射する外部光源と、
表示領域の色情報を取得し、前記色情報に基づいて、前記外部光源の点灯と、前記電極への電圧印加とを同期駆動する駆動部と、
を有し、
前記光変調層は、前記電場が生じていないときは前記外部光源から入射した入射光を透過し、前記電場が生じているときは前記入射光を散乱して前記透明基板に射出する、
表示装置。
【請求項１３】
前記光変調層の側面から前記光変調層に所定の色の光を入射する光源を有し、
前記駆動部は、前記色情報に基づいて、前記外部光源の点灯と、前記光源の点灯と、前記電極への電圧印加とを同期駆動する、
請求項１２に記載の表示装置。
【請求項１４】
離間して対向配置された一対の透明基板と、前記一対の透明基板の間に配置され、所定の屈折率異方性を有する第１光変調素子と第２光変調素子を備え、前記透明基板に設けられた電極によって生じる電場に対する前記第２光変調素子の応答性が前記電場に対する前記第１光変調素子の応答性より相対的に高く形成されるとともに、前記電場に対する応答時の前記第２光変調素子の傾斜方位を揃えた光変調層と、をそれぞれ備えた第１の表示パネルと第２の表示パネルとが、前記第１の表示パネルの前記傾斜方位と、前記第２の表示パネルの前記傾斜方位を同じ方向にして重ねて配置されてなり、
前記第１の表示パネルと前記第２の表示パネルは、
前記電場が生じていないときは入射した入射光を透過し、
前記電場が生じているときは、前記傾斜方位と偏光方向が同じ前記入射光成分を透過し、前記傾斜方位と偏光方向が異なる前記入射光成分を散乱して前記傾斜方位に応じた方向に偏光した偏光光を前記透明基板に射出する、
表示装置。
【請求項１５】
前記第１の表示パネルは、前記光変調層の側面から前記光変調層に所定の色の光を入射する光源を有して前記第２の表示パネルの裏面に配置される、
請求項１４に記載の表示装置。
【請求項１６】
前記第１の表示パネルと、前記第２の表示パネルとの間に、前記入射光の偏光面を変える位相差板を有する、
請求項１４または１５に記載の表示装置。
【請求項１７】
所定の偏光方向に偏光する偏光光を出力する外部光源を有し、
駆動部は、色情報に基づいて、前記外部光源の点灯と、前記光源の点灯と、前記電極への電圧印加とを同期駆動する、
請求項１５乃至１６のいずれかに記載の表示装置。
【請求項１８】
前記外部光源と前記光変調層との間に、前記外部光源から射出された光の偏光方向を回転させる素子を備えた、
請求項１７に記載の表示装置。
【請求項１９】
離間して対向配置された一対の透明基板と、
前記一対の透明基板の間に配置され、所定の屈折率異方性を有する第１光変調素子と第２光変調素子を備え、前記透明基板に設けられた電極によって生じる電場に対する前記第２光変調素子の応答性が前記電場に対する前記第１光変調素子の応答性より相対的に高く形成されるとともに、前記電場に対する応答時の前記第２光変調素子の傾斜方位を揃えた光変調層と、
を有し、
前記光変調層は、前記電場が生じていないときは入射光を透過し、
前記電場が生じているときは、前記傾斜方位と偏光方向が同じ前記入射光成分を透過し、前記傾斜方位と偏光方向が異なる前記入射光成分を散乱して前記傾斜方位に応じた方向に偏光した偏光光を前記透明基板に射出する、
表示装置。
【請求項２０】
前記光変調層は、高分子材料に液晶分子が分散された層である、
請求項１乃至１９のいずれかに記載の表示装置。